Podtech/llm-jp-corpus-v4-ja_patent huggingface dataset:
(57)【要約】【課題】  ロール式吸水シートと、それを使用する、ロール式吸水シート設置用具を提供する。【解決手段】  吸水シートを芯に巻きつけた、ロール式吸水シートを回転させてロール式吸水シートを板の平面に敷き、吸水シートと動物の糞を分別し、踏み台を設置したロール式吸水シート設置用具である。【選択図】  図３
2006280346.tif 000002
【特許請求の範囲】
【請求項１】
芯に吸水シートを巻きつけ、ロール式にすることを特徴とするロール式吸水シート。
【請求項２】
請求項１のロール式吸水シートを回転させることによって、平面な板にロール式吸水シートを平行に敷くことができ、吸水シートと動物の糞を分別し、踏み台を設置することを特徴とするロール式吸水シート設置用具。
【請求項３】
請求項２のロール式吸水シート設置用具にゲージを設置することを特徴とするロール式吸水シート設置用具。
【発明の詳細な説明】
【技能分野】
【０００１】  本発明は、芯に吸水シートを巻きつけた、ロール式吸水シートと、ロール式吸水シートを回転させ、平面な板にロール式吸水シートを平行に敷くことができ、吸水シートと動物の糞を分別し、踏み台をつけたロール式吸水シート設置用具である。
【背景技術】
【０００２】  従来、動物用の吸水シートと、その設置用具があった。
【発明の開示】
【発明が解決しようとする課題】
【０００３】  そのため次のような問題があった
（イ）動物の排出物が付着し、汚れた吸水シートを手作業で片付け、新しい吸水シートを広げて敷いていたので吸水シートの交換に手間と時間がかかった。
（ロ）吸水シートと糞を分別する機能がついていないため、吸水シートと糞を分別するのに手間がかった。
（ハ）吸水シートをそのまま敷いて使用する場合、何度も排出物を直接手で片付けなくてはならないので不潔感があった。
【課題を解決するための手段】
【０００４】  吸水シートを芯に巻きつけた、ロール式吸水シートを回転させてロール式吸水シートを板の平面に敷き、吸水シートと動物の糞を分別するためのロール式吸水シート設置用具である。
【発明の効果】
【０００５】  ロール式吸水シートを回転させるだけで、吸水シートを敷くことができ、吸水シートの交換に手間がかからなくなった。吸水シートと動物の糞の分別に手間がかからなくなった。排出物に直接触れないため、不潔感がない。
【発明を実地するための最良の形態】
【０００６】  図１は、吸水シート（１）を芯（２）に巻きつけた、ロール式吸水シート（３）の斜視図である。図２はロール式吸水シート（３）の断面図である。
【０００７】  図３は、ロール式吸水シート（３）の切れ端を、筒（４）につなぎあわせ、ロール式吸水シート（３）とつながった筒（４）の間幅をシート台（５）にかぶさる長さまで広げ、シート台（５）の平面上部にかぶせ、箱（６）の中の、取り付け台（７）にロール式吸水シート（３）と筒（４）をそれぞれはめ込んだ、ロール式吸水シート設置用具の使用説明図である。図４は、ロール式吸水シート設置用具の斜視図である。箱（６）の側面から筒（４）を回転させるためのハンドル（８）を取り付け、動物が踏み台（９）をのぼり、排出物をした後、ハンドル（８）を回し、ロール式吸水シート（３）と筒（４）を回転させることにより、シート台（５）の平面上部にある汚れた吸水シート部分が筒（４）に巻き取られる。糞（１０）は回転力でそのまま左下の糞分別ペール（１１）に落ちる仕組である。
【０００８】  図５は、ロール式吸水シート設置用具にゲージ（１２）を付け足した、ゲージ付きロール式吸水式シート設置用具の使用説明図である。
【図面の簡単な説明】
【０００７】
【図１】  請求項１のロール式吸水シートの斜視図である。
【図２】  請求項１のロール式吸水シートの断面図である。
【図３】  請求項２のロール式吸水シート設置用具の使用説明図である。
【図４】  請求項２のロール式吸水シート設置用具の斜視図である。
【図５】  請求項３のロール式吸水シート設置用具の使用説明図である。
【符号の説明】
【０００８】  １    吸水シート
２    芯
３    ロール式吸水シート
４    筒
５    シート台
６    箱
７    取り付け台
８    ハンドル
９    踏み台
１０  糞
１１  糞分別ペール
１２  ゲージ
【図１】
2006280346.tif 000003
【図２】
2006280346.tif 000004
【図３】
2006280346.tif 000005
【図４】
2006280346.tif 000006
【図５】
2006280346.tif 000007
(57)【要約】      （修正有）【課題】様々な分野で廃棄物リサイクル方法の取り組みが行われていますが、乳製品製造分野においても同様です。牧場から排出される廃棄乳、発酵乳製造に伴う洗浄乳など、最終処分に困っているのが現状です。したがって、本方法は、これらの課題の解消方法である。【解決手段】プラント洗浄などから発生する廃棄牛乳に、少量のヨーグルトを混合し、乳酸発酵させる。さらに、形成された物質を乾燥させるとともにミキサーを用いて粉末状にすることで本発明商品が形成され、犬、猫、養殖魚、（その他の動物）などの健康食品として使用する。【選択図】なし【特許請求の範囲】
【請求項１】
本方法は、牛乳を原料とした発酵乳製造過程において発生する廃棄乳（生乳も含む）を利用して、動物及び養殖魚の餌の添加剤として使用するものである。
乳牛を飼育する牧場及び発酵乳製造に伴い排出される廃棄牛乳に、ヨーグルト及び卵白を一定量添加し（卵白を添加しない場合も含む）攪拌するとともに一定条件下で乳酸発酵させる。発酵過程から生成された物質を過熱及び自然乾燥で含水率を下げることで凝固状に変化された物質が形成される。さらに、ミキサーを用いて粉末状に加工することで本商品が形成される。などの廃棄牛乳を利用した粉末ヨーグルト系商品。
【発明の詳細な説明】
【技術分野】
【０００１】  酪農業者及び発酵乳製造工場などから排出される廃棄牛乳の量は無視できない量を示しています。廃棄牛乳とはいえ高カロリー成分を蓄えており、経費を使って廃棄処分するのは、資源活用の面からも勿体ないことです。
本方法は、これらの廃棄牛乳を原料に、発酵と乾燥を介しミキサーを用いて粉末状に形成された商品である。動物用健康食品及び養殖魚などの餌の添加物として使用される。
［背景技術］【０００２】  廃棄牛乳を用いた肥料開発を行っている過程でヨーグルトを扱います。したがって、それらの開発過程の中から生まれたのが本方法である。
［特許文献］  特許公開平８−８９１６６、特許公開２００２−２３８４５２、などを検索し確認しましたが、原料及び発酵過程においても本方法とは異なっている、したがって、類意したものは無いと考える。
［発明の開示］
［発明が解決しようとする課題］【０００３】  牛乳などの乳製品の製造に伴う廃棄牛乳のリサイクルは、環境分野及び資源活用の観点からも重要視されます。本方法は、これらの課題に対応した方法である。
［課題を解消するための手段］【０００４】  廃棄牛乳は液体であり、餌と言うより飲み物である。したがって、発酵作用で粘性を増した物質をさらに加熱し、含水率を下げ乾燥させて固体化する。また、廃棄牛乳の状態では、餌に適さない有害菌が混入している可能性がある。これらの有害菌を発酵作用を用いて排除することで、食品としての物性を得るのである。
［発明の効果］【０００５】  現在、廃棄牛乳の処理は経費を使い浄化槽を用いて処理しています。したがって、本方法を用いれば、それらの経費は無くなります。さらに、牛乳は栄養素的、生物性的にも利用度の高い物質であり、資源活用の観点からも大いに期待できる。
［発明を実施するための最良の形態］【０００６】  本方法を実施するにおいて、原料である牛乳の確保が必須である。遠方まで出向いて確保するのでは経費がかかり商品の価格が高くなってしまいます。したがって、牛乳の確保できる地域で個々に製造する。などの方法が適していると考えられる。
［実施例］【０００７】  廃牛乳の中に少量のヨーグルトを入れ込み混合する。一定時間、発酵することで乳酸が生成され、且つ、粘性が増したヨーグルトに似た物質が生成される．さらに、生成された物質を自然乾燥または加熱乾燥で水分を低下させることで凝固状態に至る。さらに、ミキサーを用いて粉末状態に加工することで本発明商品が形成される。
［産業上の利用可能性］【０００８】  本方法は、資源利用と環境汚染に対応した廃棄牛乳リサイクル方法である。したがって、現代社会に受け入れられる可能性は極めて高い。
(57)【要約】【課題】  本発明は、手袋の手首の部分から手の入口までを長くし、親指と人差し指の間につなぎ部を設け、手首の部分に塵取り部（たるみ部）を設けたことを特徴とする犬のフンの捕獲処理手袋で、犬の散歩のとき、犬が路上でフンをした場合、手袋の手の部分と腕の部分を長くとった塵袋の作用で確実に素早く路上から犬のフンを処理できるように工夫した犬のフンの捕獲処理手袋を提供する。【解決手段】  手袋（１）の手首の部分から手の入口までを長くし、親指と人差し指の間につなぎ部（２）を設け、手首の部分に塵取り部（たるみ部）（３）を設けたことを特徴とする。【選択図】  図１
2006280344.tif 000002
【特許請求の範囲】
【請求項１】
手袋（１）の手首の部分から手の入口までを長くし、親指と人差し指の間につなぎ部（２）を設け、手首の部分に塵取り部（たるみ部）（３）を設けたことを特徴とする犬のフンの捕獲処理手袋。
【発明の詳細な説明】
【技術分野】
【０００１】  本発明は、手袋の手首の部分から手の入口までを長くし、親指と人差し指の間につなぎ部を設け、手首の部分にたるみ部を設けたことを特徴とする犬のフンの捕獲処理手袋で、犬の散歩のとき、犬が路上でフンをした場合、手袋の手の部分と腕の部分を長くとった塵袋の作用で確実に素早く路上から犬のフンを処理できるように工夫した犬のフンの捕獲処理手袋に関するものである。
【背景技術】
【０００２】  従来、路上で犬がフンをしたとき、古新聞紙やビニール袋などを使用していた。ところが、時間がかかり、そのうえ、不完全な処理しか出来なかった。
【発明の開示】
【発明が解決しようとする課題】
【０００３】  そのために、次のような問題点があった。
新聞紙もビニール袋も専用のものがないため、調達にまごつき、処理後もかさばって困っている。
また、不完全な処理しか出来なかった。
【課題を解決するための手段】
【０００４】  手袋（１）の手首の部分から手の入口までを長くし、親指と人差し指の間につなぎ部（２）を設け、手首の部分に塵取り部（たるみ部）（３）を設ける。
以上のように構成された犬のフンの捕獲処理手袋。
【発明の効果】
【０００５】  本発明の犬のフンの捕獲処理手袋は、犬のフン専用手袋のため、散歩のたびに調達のわずらわしさがなくなり、手の指の感覚が生かされることと塵袋との作用により完全に早く処理される。
本発明により、路上、公園等の環境が守られる。
早く処理が出来るため、交通の邪魔にならない。
【発明を実施するための最良の形態】
【０００６】  以下、本発明の実施の形態を説明する。
手袋（１）の手首の部分から手の入口までを長くし、親指と人差し指の間につなぎ部（２）を設ける。
手首の部分に塵取り部（たるみ部）（３）を設ける。
手袋（１）は、軟性ビニール製手袋を使用し、親指と人差し指の間をつないだものにすることにより、容量が多くても捕獲できる。
手の入れ口部分と手首の部分を長くする。
手の入れ口から裏返して抜き取るとき、手首に引掛からないように、太めにする。
指の部分も太目にするため、冬の寒いとき、普通の手袋と二重にして使用出来る。
本発明は以上の構成よりなっている。
本発明を使用するときは、犬の散歩をする路上でフンをしたとき、素早く手の部分ですくい取り、手首の部分に塵取り部（たるみ部）を設けることで、蓄えられた手袋の長い部分を裏返しにして、フンをすくい取った手も一緒に包んで、塵袋の作用としたあと、手入口部分を結ぶ。
犬のフンの捕獲と塵袋を、この新手袋一つで確実に早く処理できる。
【図面の簡単な説明】
【０００７】
【図１】  本発明の片面の平面図である。
【図２】  本発明の斜視図である。
【図３】  本発明の使用状態を示した斜視図である。
【符号の説明】
【０００８】  １  手袋
２  親指と人差し指とのつなぎ部
３  塵取り部（たるみ部）
【図１】
2006280344.tif 000003
【図２】
2006280344.tif 000004
【図３】
2006280344.tif 000005
(57)【要約】【課題】  猫のし尿後のトイレ処理を直接手に触れることなく衛生的かつ簡潔に処理する手段を提供する。【解決手段】  猫用トイレをシートと少量の砂を使用し１回ずつの使い捨てトイレとして使う手段と、水で流せるようシートの裏のビニール等分離できる手段と、そのセットしたシートを何組も用意しておく手段を備えることで解決するものである。他のペットにも使用できる。【選択図】  図１
2006280358.tif 000002
【特許請求の範囲】
【請求項１】
ペットとして猫を家の中で飼っている人は多い、そして猫はし尿後本能的にその汚物を隠すように砂をかける。従って猫のトイレには多量の砂を置くと決めて今日まで来た。本発明は砂を少量にする事、猫の用済み後の砂掻きによる砂の散乱をより少なくする事と、その汚物の処理を簡便にする事、しかし猫の習性はそのまま生かせるようにすること、その上、常に新しいトイレを使用することで従来の猫のし尿の臭気を短期的に解決する完全な使い捨て猫用トイレットを提供することにある。
【請求項２】
吸収、除菌、脱臭シートを使用しその中央に一般ごみ回収できる砂、トイレに流せる砂等少量をセットにして使用し、又小型化により安価で、一般ごみに、あるいは水洗で処理できるのが特長である。
【請求項３】
水洗で流せるようシート裏のビニール等で簡単に分離できるようにする。
【発明の詳細な説明】
【技術分野】
【０００１】  本発明は使用者にとって猫のし尿後の処理を経済的、簡潔で常に清潔を旨とする処理法に関するものである。
【背景技術】
【０００２】  従来の猫トイレは専用トイレや予備の砂、シート等の予備、処理用スコップほか数々の品を常備しトイレを定期的に洗浄しなければ悪臭が放つ等処理にも手間を要した。【０００３】
【特許文献１】特開２００４−１４７６３１号公報
【発明の開示】
【発明が解決しようとする課題】
【０００４】  しかしながら上記の如く従来の方法では飼い主は大変な労力そして不便、広い場所等要す問題点があった。さらに直接扱うという不潔感もあった。
【課題を解決しようとするための手段】
【０００５】  本発明は上述した問題点に鑑みて成されたものであり，飼い主にし尿の処理の違和感を和らげ衛生的、経済的、簡潔的であることを目的とするものである。
【０００６】  使い捨て又はトイレに流して使用する手段と、
【０００７】  そのシートの四隅を床に固定さす両面テープ等をつける手段と
【０００８】  そのシートを折りたたんで１セット１回分とすることで従来の多量の砂が入ったトイレを何日も使用することなく何回分かを用意しておくことで毎日新品使用でき清潔であることを特長とするものである。
【０００９】  更に又処理の仕方もシートごと袋に入れて捨てられまたは素材によってはトイレに流せて衛生的であることも特長である。更に
【背景技術】
【０００２】に示した砂等の保管場所も必要なく本発明の使い捨てトイレだけで用が足せ場所的にも簡潔であることも特長である。
【発明の効果】
【００１０】  猫トイレに関しては簡潔に衛生的に猫独特の悪臭が短期的に解決できる。
【００１１】  我が家の猫に使用したところ扱いやすく手を汚すことなく衛生的、簡潔である。
【発明を実施するための最良の形態】
【００１２】  以下に本発明における実施の形態について図１−３を参照にして詳細に説明する。本発明は使い捨てで衛生的かつ使用上簡単であることを特長とし、シート、砂の種類、形態等は改良していけるものとする。【００１３】  図１は猫用トイレで
【請求項２】
【請求項３】
のシートの周囲は例えばギャザーでシートを開くと立つようにする。ギャザーは砂跳ねを防止するため。ギャザーの代わりにシートの四方の端を、水分を吸収しない素材で、少し広げてもよい。使用後は他に用意したビニール袋の中に手を入れて使用済みシートをおりたたみつつもう一方の手でシートを包み込むようにビニール袋を引っ張ると手を汚さず処理できる。
【００１４】  図２はシートの裏面を示す。  四隅に両面テープ等をはる。
【００１５】  図３は図１，２をコンパクトに折りたたんだもので扱いやすくした。
【図面の簡単な説明】
【００１６】
【図１】．猫トイレの構図。
【図２】．シートの裏面。
【図３】．図３を折りたたんだ図。
【符号の説明】
【００１７】    １  ギャザー等砂はね防止できるもの。    ２  猫用トイレシート    ３  折りたたみ線    ４  砂    ５  ビニール等尿もれを防ぐもの。    ６  両面テープ等シートのずれを防止できるもの。
【図１】
2006280358.tif 000003
【図２】
2006280358.tif 000004
【図３】
2006280358.tif 000005
(57)【要約】【課題】低タンパク小麦粉にオオムギ粉を５〜１０パーセント混合して製麺し、食感や粘弾性が優れた麺を製造すること。【解決手段】外国産小麦粉に比べて、食感や粘弾性が劣る国産低タンパク小麦粉にオオムギ粉を混合して製麺することで、食感や粘弾性が優れた麺を製造し、国産小麦・国産大麦の利用を促進し、小麦・大麦の自給率の向上を計る。【特許請求の範囲】
【請求項１】
低タンパク質小麦粉に、オオムギ粉を５〜１０重量パーセント配合した原料粉を用いて製麺することを特徴とする麺の製造方法。
【発明の詳細な説明】
【技術分野】
【０００１】  本発明は麺の製造方法に関する。
【背景技術】
【０００２】  従来の麺は小麦粉のみ若しくは小麦粉を主体に穀類粉を配合した麺であった。しかも、例えばタンパク質７〜８重量パーセントの低タンパク質小麦粉では麺の食感や粘弾性が十分満足されてなく、麺の食感や粘弾性を満足させる為に、高中タンパク質の小麦粉を使用したり、配合全体の小麦粉タンパク質を高める為に小麦粉グルテンを配合していた。
【発明の開示】
【発明が解決しようとする課題】
【０００３】  国産の農林６１号小麦から製粉した小麦粉の様なタンパク質が７〜８重量パーセントの低タンパク質小麦粉で製麺する場合、麺の食感や粘弾性を満足させる為に、小麦粉グルテンを増加することが主流であるが、低タンパク質の国産小麦粉を使用した国産麺として製造する場合、国産小麦粉グルテンを使用するという無駄の多い方法の他に方法は無かった。
【課題を解決するための手段】
【０００４】  本発明の麺は、公知の国産の農林６１号小麦から製造したタンパク質が７〜８重量パーセントの低タンパク質小麦粉に、小麦粉グルテンを含まない国産大麦から製粉したオオムギ粉を５〜１０重量パーセント配合した原料粉を用いて製麺する１００パーセント国産原料を使用した純国産麺である。
【発明の効果】
【０００５】  国産の農林６１号小麦から製造したタンパク質が７〜８重量パーセントの低タンパク質小麦粉は分類的には薄力粉であり、外国産や国内産の中強力小麦粉に比較すると、製造した麺の食感や粘弾性が劣っていた。しかし、低タンパク質国産小麦粉に国産大麦から製粉したオオムギ粉を５〜１０重量パーセント配合した原料粉を用いて製麺する方法により、外国産や国内産の中強力小麦粉に比較しても、製造した麺の食感や粘弾性が優る品質となる。つまり小麦粉グルテンを増加させることなく、オオムギ粉を５〜１０重量パーセント混合することで、低タンパク質国産小麦粉の「つなぎ」として作用する。但し、オオムギ粉を１０重量パーセント以上混合すると「つなぎ」としての作用が悪くなり製造が困難となる。また、製造した麺の食感や粘弾性が劣ることになり、結果として小麦粉グルテンを増加させることが必要となる。【０００６】  国産低タンパク小麦粉に、国産オオムギ粉５〜１０重量部と食塩と水を混合し、生麺若しくは乾麺を常法にて製麺した麺は、国産低タンパク小麦粉１００パーセントに食塩と水を混合し、生麺若しくは乾麺を常法にて製麺した麺に比較して、麺の食感や粘弾性が優る製品が製造できる。また、外国産の小麦粉を使用して常法にて製麺した麺に比較しても、なんら遜色の無い食感や粘弾性の麺が製造できるので、国産小麦と国産大麦の使用が増加し、結果として、国産麦の自給率があがることになる。
【発明を実施するための最良の形態】
【０００７】  次に本発明の一実施例を説明する。
一般的な国産低タンパク小麦粉９５重量部、公知の国産もち性オオムギ粉５重量部に食塩と水を混合し、生麺若しくは乾麺を常法にて製麺する。
(57)【要約】【課題】  犬の散歩をするとき、リードを持っているため、犬の糞の始末する道具を持つことに抵抗を持ち、ついつい道具を持たずに糞の始末をしない人が多い。【解決手段】  犬の散歩をするとき、リードを持っているため、犬の糞の始末する道具を持つことに抵抗を持ち、ついつい道具を持たずに糞の始末をしない人が多い。  そこでプラスチック製犬散歩用携帯ケースセットを腰にぶら下げ、道具を持つことの抵抗を持たずに持ち歩くことができ、リードが両手で持て、犬の糞の始末が容易に出来ることから糞害がなくなる。【選択図】    図１
2006280356.tif 000002
【特許請求の範囲】
【請求項１】
犬散歩用携帯ケース（１型）である。
移植鏝が入る様に蓋部分が一部穴があいている。
【請求項２】
犬散歩用携帯ケース（２型）
犬の糞、ビニール袋などを入れる物入れである。
【発明の詳細な説明】
【技術分野】
【０００１】  本発明は、犬の散歩中において、犬の糞の始末を行うため、何時も持ち歩く、移植鏝をベルトで腰につるして持ち運ぶことで両手で犬のリードを楽に扱える。【０００２】  また、犬の糞などを入れる物入れケースをベルトで腰につるす。
【背景技術】
【０００３】  犬の散歩は糞の始末をするための道具を持つのがいやなため道ばたに良く糞をそのままにしている。
【発明の開示】
【発明が解決しようとする課題】
【０００３】  犬の散歩をするため、犬の糞をとるものと、糞を入れるものを簡単に持ち運ぶ用にすることで、道ばたので犬の糞害が無くなる。
【発明の効果】
【０００４】  この発明の犬散歩用携帯ケースセットはベルトにかけるため両手が使える。【０００５】  犬の糞を集める移植鏝をいれるケース１型と犬の糞、ビニール袋などを入れる物入れケース２型をセントで持ち歩くことで犬の糞害がなくなる。
【発明を実施するための最良の形態】
【０００６】  図１は、犬散歩用携帯ケースセットの斜視図を表したもので、プラスチック製の移植鏝を入れるケース１型、犬の糞、ビニール袋などを入れる物入れケース２型。【０００７】  ケース１型は移植鏝を入れるため、ふた３の部分が移植鏝の枝がでるようにふたが一部欠けている。【０００８】  ケース２型は犬の糞、ビニール袋など物を入れるため、ふた６の部分は密封タイプとなっている【０００９】  ケース１型、２型ともベルト掛け４、７がついている。【００１０】  ケース１型、２型は、ともに５と８でつながるように出来ている。
【図面の簡単な説明】
【００１０】
【図１】  犬散歩用携帯ケースセットの斜視図を表したものでタイプ１の移植鏝入れとタイプ２の犬の糞、ビニール袋などを入れる物入れである。
【図２】  タイプ２の左側面図を表したものでふたは開けてある。右側面図は対称となる
【図３】  タイプ１の左側面図を表したものでふたは開けてある。右側面図は対称となる
【図４】  タイプ１、タイプ２のセットを平面図で表したものである。
【図５】  タイプ１、タイプ２のセットを背面図で表したものである。
【図６】  タイプ１、タイプ２のセットを正面図で表したものである。ふたは開いている状態である。
【図７】  タイプ１、タイプ２のセットを底面図で表したものである。
【符号の説明】
【００１１】    １  移植鏝入れケース（タイプ１型）
２  犬の糞、ビニール袋などの物入れケース（タイプ２型）
３  移植鏝入れケースのふた
４  移植鏝入れケースのベルト掛け
５  移植鏝入れと物入れとセットにするときの継ぎ手
６  物入れケースのふた
７  物入れケースのベルト掛け
８  物入れと移植鏝入れとセットにするときの継ぎ手
９  移植鏝の創造図
【図１】
2006280356.tif 000003
【図２】
2006280356.tif 000004
【図３】
2006280356.tif 000005
【図４】
2006280356.tif 000006
【図５】
2006280356.tif 000007
【図６】
2006280356.tif 000008
【図７】
2006280356.tif 000009
(57)【要約】【目的】１．野菜類が持つ薬草的作用によって、動物の健康維持ばかりか、普通は動物病院で見てもらうような諸症状も快復できる餌を提供する。２．人用の野菜汁を搾り取った後の残存物を利用することによって、製造コストを下げ、その分安い価格で消費者に提供することである。【構成】  本発明に係わる餌は、野菜類の汁分を取った後の残存物を配合した餌である。【特許請求の範囲】
野菜類の汁分を取った後の残存物である、餌。
【発明の詳細な説明】
【発明の詳細な説明】
【産業上の利用分野】
【０００１】  この発明は、野菜類の汁分の一部または全部を搾り取った後の残存物（以下残存物と称する）を配合した餌に関するものである。
【背景技術】
【０００２】  従来より、愛玩動物用の餌は多くの業者によって、様々な種類のものが販売されてきた、そしてその餌に含まれる成分の主体となるものは、肉類・野菜類・肉と野菜を混合したもの等であり、菜汁を搾りとった残存物を配合した餌はなかった。
【発明が解決しようとする課題】
【０００３】  現在一般に市販されている愛玩動物用の餌は、動物の健康を維持するために栄養バランスを考慮し、良質の材料を用いて作られているので、その価格は非常に高価なものになっている。また動物の飼い主の側から見ると、この高価な餌を毎日与えるわけで、月々の餌代は大きな出費となる。更に、これが大型犬になると餌代の額は更に増大する。しかし愛玩動物の飼い主の多くは、例え高価であってもこの餌を与え続けているのが現状である。
そこで、人の飲料用の野菜汁であるが、これは人の健康を維持するだけではなく、体を健康にする薬草的効果があり、その野菜汁の材料は、それに必要な栄養素が多く含まれている野菜類を選んで使用している。そして、この野菜汁を人が毎日一定量を飲むことによって、特定の病気や症状の快復効果のあることも確認されている。この事実によって、野菜汁の販売量が大幅に増大し、その結果として、野菜汁の製造過程で生じる残存物が膨大な量に登っている。この大量の残存物には野菜汁を搾り取った後とは言え、まだ多くの種類の栄養素や食物繊維がそれなりの量で含まれている。そしてこの残存物は、人が食するのには余りに不味く、処分するにしても多額の費用がかかるし、長く保管することも難しい等の問題点がある。
また、前述の特定の病気や症状の中には、家畜や愛玩動物その他競争馬等にも共通するものが多数あって、これらの病気や症状は、動物病院において試験的に残存物を混ぜた餌を一定期間動物に与えて見たところ、人の場合と同様の快復効果があったことが確認されている。
そこでこの発明が解決しようとする課題は、
１．家畜や愛玩動物その他競争馬等の健康を維持するだけではなく、病気や症状を快復できる、薬草的効果を持つ、価値の高い餌を提供する。
２．人用の野菜汁の製造過程で生じる残存物を利用することで材料費を下げ、安価な餌を提供する。
３．残存物の処理費用を軽減する事、である。
【課題を解決するための手段】
【０００４】  この発明に係わる餌は、上記の課題に着目し、その解決のために次のような構成としている、即ち、  野菜類の汁分を取った後の残存物である餌、である。
【実施例】
【０００５】実施例
この発明に係わる餌は、どのような野菜の残存物でも利用できるが、主に葉野菜の一種であるケールの残存物が良く、それとその他の素材を配合している。この残存物は、乾燥状態でも水分が残った状態でも良く、餌にはペースト状や固形状のものがあるので、餌の形態に合わせて配合すればよい。
そして、残存物と他の素材との配合の仕方については、従来通りの餌をそのまま利用して、これに残存物を合わせても良く、或いは新たな素材や栄養素を選んで残存物と合わせても良い。また、配合する分量の割合は、愛玩用動物の種類や家畜など、与える動物によって異なるので、製造時にそれぞれ考慮すればよい。
更に、残存物と言っても、これは明らかに製造物であって、その製造過程において、餌として利用し易い状態に加工しておくことも可能である。
そこで、ケールが野菜汁飲料や餌の原材料として最も適している理由は下記の通りである。
１．ケールに含まれる栄養素等は、ビタミン類・ミネラル類・葉緑素・食物繊維その他未知の成分であり、これらの栄養素は他の野菜類と比べても、その含まれている量が極めて多く、その必要量に対するバランスも良いからである。
そして、この栄養素は、残存物にもそれなりの量で含まれている。
２，ケールに含まれている栄養素による薬草的作用の主なものは、血圧が高い状態・肝機能が弱い状態・便秘がちの状態・冷え性・虚弱体質・食欲不振・不眠症・アレルギー体質等の症状である。これらの諸症状は人だけではなく、動物でも同様じであること。
３．ケールの味は非常に不味く、料理用の素材には全く不向きであること。
【発明の効果】
【０００６】上記によってこの発明に係わる餌は下記の効果がある。
１．野菜類が持つ薬草的効果によって、あらゆる動物の健康維持ばかりか、普通は動物病院で見てもらうような諸症状を快復させられる。
２．人用の野菜汁を取った後の残存物を利用することによって、製造コストを下げることができ、その分消費者に安く提供できる。
３．餌の製造と同時に残存物の処理もできるので一石二鳥の効果があり、これによっても価格を下げることができる。
(57)【要約】【課題】火入れおりをから調味料を得て、火入れおりの処分に要する費用を軽減し、産業廃棄物として処分されていた残渣の有効利用を図る。【解決手段】調味料を生醤油の火入れ後におり引きして生じる火入れおりを約９０℃で加熱処理した中間体から分離形成されたペースト状固形物とした。【選択図】    なし【特許請求の範囲】
【請求項１】
生醤油の火入れ後におり引きして生じる火入れおりを約９０℃で加熱処理した中間体から分離形成されたペースト状固形物であることを特徴とする調味料。
【発明の詳細な説明】
【技術分野】
【０００１】
本発明は火入れおりから得る調味料に関するものである。
【背景技術】
【０００２】
従来、醤油の製造工程では、一般的に、原料である大豆を蒸煮し、小麦は焙炒装置によって焙炒され、焙炒された小麦を粉砕し、蒸煮された大豆と混ぜ合わせ麹菌を添加した後に、製麹室に入れて製麹する。つぎに製麹された麹菌は、食塩水を加えて諸味発酵タンクに入れ、乳酸菌・酵母菌を添加し発酵、熟成させる。そして熟成した諸味を圧搾し生醤油を搾り出し、その後で生醤油を火入れする為に加熱殺菌を行ない、おり引きタンクに入れ、おり（蛋白質、炭水化物など）を沈殿させ上澄液を取り出し濾過し、これを醤油としているものである。
ところで、上述したおり引きタンクには上澄醤油を取り出した後に、醤油とおり（蛋白質、炭水化物など）が混ざったものが残渣として残り、醤油を回収することが試みられているが、火入れおりをさらに固液分離することが困難であって、超精密濾過機などを使用して一部を醤油として回収しているにすぎず、大部分は産業廃棄物として処理しているのが現状であり、不経済なものとなっている。
この対策としては火入れおりをさらに加熱処理して醤油の回収率を高める手法が提案されている（特許文献１参照）。
【特許文献１】特開昭４９−０７５８００号公報
【発明の開示】
【発明が解決しようとする課題】
【０００３】
しかしながら上記火入れおりを加熱処理する方法にあってもすべてが液体の醤油とはなり得ないという問題があった。
本発明者は火入れおりを加熱処理することで生じるペースト状の固形物が調味料として利用できる蛋白質系の物質であることに着目した。そこで、本発明は上記事情に鑑み、火入れおりをから調味料を得ることを課題とし、火入れおりの処分に要する費用を軽減し、産業廃棄物として処分されていた残渣の有効利用を図ることを目的とするものである。
【課題を解決するための手段】
【０００４】
本発明は上記課題を考慮してなされたもので、生醤油の火入れ後におり引きして生じる火入れおりを約９０℃で加熱処理した中間体から分離形成されたペースト状固形物であることを特徴とする調味料を提供して、上記課題を解消するものである。
【発明の効果】
【０００５】
本発明によれば、火入れおりを加熱処理した中間体から分離形成されたペースト状固形物がアミノ酸などの蛋白質系統の物質であり、旨味成分があって漬物やつゆなどの調味料として利用でき、そして中間体から分離された液体は醤油であるため、火入れおりが有効利用できる。
また、加熱処理した中間体を対象として分離形成するので、凝固性蛋白質の大きさが大きく、従来からの濾過装置において高い割合（約９５％以上）で液体物である醤油が得られる。
【発明を実施するための最良の形態】
【０００６】
つぎに本発明を実施の形態に基づいて詳細に説明する。
即ち、本発明の調味料は、火入れおりを９０℃で加熱処理した中間体をフィルタープレスを用いて分離形成されたペースト状固形物である。また、分離された一方の液体物も醤油であり、よって、火入れおりの有効利用が行えるものとなる。
【実施例】
【０００７】
まず、比較例として各１リットルの三試料の火入れおりを直接フィルタープレスにかけて固液分離を試みた。しかし、三試料とも固液分離は行なえなかった。
つぎに、１８リットルの一試料とした火入れおりを液温９０℃まで加熱した。そののち、この一試料をフィルタープレスにかけたところ、スムーズに固液分離した。そして、回収された液体物である醤油の分析値は、表１に示したものとなった。
【０００８】
【表１】
2006280266.tif 000002
【０００９】
分離した醤油は官能的には旨味があり、まろやかな醤油の印象が強い。
一方、ペースト状固体物は１８リットルの上記一試料を９０度に加熱処理したものをフィルタープレスにかけて得た。一試料に対しての容積割合で３５％であった。
このペースト状固体物はほとんどがアミノ酸系統の蛋白質であった。よって、このペースト状個体物は天然の調味料としての使用が可能であると判断できた。
なお、フィルタープレスは３１０ｍｍ×１室単式フィルタープレスを使用した。
(57)【要約】【課題】植栽に地面を必要とせず、短期間で緑化を完成でき、しかも、しっかりとした強度を発現できながら、構造が簡素で軽量な緑化材を提供する。【解決手段】周壁２ａが植物４を通せる三次元格子構造をした筒状支持躯体２の筒内に植栽用の培地材３が設けられている緑化材である。【選択図】      図１
2006280286.tif 000002
【特許請求の範囲】
【請求項１】
周壁が植物を通せる三次元格子構造をした筒状支持躯体の筒内に植栽用の培地材が設けられていることを特徴とする緑化材。
【発明の詳細な説明】
【技術分野】
【０００１】
本発明は、緑化材に関する。
【背景技術】
【０００２】
ガーデニングなどに採用されている緑化手段として、地面に植えた蔓性植物をバーコラに這わせたり、植栽された緑化パネルをシステム化して支持躯体に取り付けて壁面緑化を行ったりするものは、従来より提供されている。
【発明の開示】
【発明が解決しようとする課題】
【０００３】
しかしながら、地面に植えた蔓性植物をバーコラに這わせて緑化するものでは、植物を植える地面が必要であると共に、植物を這い上がらせるの長い期間を必要とし緑化の完成に期間を要するという問題がある。
【０００４】
また、植栽された緑化パネルをシステム化して支持躯体に取り付けるものでは、支持躯体にしっかりとした強度をもたせる必要があり、支持躯体が大掛かりなものになってしまうというという問題がある。
【０００５】
本発明は、上記のような問題点に鑑み、植栽に地面を必要とせず、短期間で緑化を完成でき、しかも、しっかりとした強度を発現することができながら、構造が簡素で軽量な緑化材を提供することを課題とする。
【課題を解決するための手段】
【０００６】
上記の課題は、周壁が植物を通せる三次元格子構造をした筒状支持躯体の筒内に植栽用の培地材が設けられていることを特徴とする緑化材によって解決される。
【０００７】
この緑化材では、筒内の培地材に植栽された植物が周壁の格子開口部を通じて外に突出し、筒状支持躯体の外周部が緑化されるので、植栽に地面を必要とせず、植物の種類を問わず、短期間で緑化を完成することができる。
【０００８】
しかも、支持躯体は、周壁が三次元格子構造をした筒状のものからなっているので、三次元格子構造によってしっかりとした強度を発現することができながら、非常に軽量であり、また、筒形状を利用して筒内に培地材を設けたものであるから、構造も簡素である。
【発明の効果】
【０００９】
本発明の緑化材は、以上のとおりのものであるから、植栽に地面を必要とせず、短期間で緑化を完成でき、しかも、簡素な構造でしっかりとした強度を発現することができる。
【発明を実施するための最良の形態】
【００１０】
次に、本発明の実施最良形態を図面に基づいて説明する。
【００１１】
図１及び図２に示す実施形態の緑化材１において、２は筒状支持躯体、３は培地材である。
【００１２】
筒状支持躯体２は、図２（イ）（ロ）に示すように、繊維混入樹脂製などの線材からなる８本の縦軸４…が八角形の頂点配置となるように環状に配置されると共に、同じ線材からなる四角形螺旋形状の２本の螺旋軸５，５が、筒軸回りの位相を互いに４５°異ならせ、螺旋部を交互配置にし、前記縦軸４…回りを縦軸４…と交差させて周回するように配置され、かつ、縦軸４…と螺旋軸５，５とがそれらの交差部で結合されて全体が硬化一体化されたものからなっていて、そのような構造によって、周壁２ａが、その外周側に多数のピラミッド形の突出を備えた、植物を通せる三次元格子構造に形成されている。
【００１３】
緑化材１は、この筒状支持躯体２の筒内に培地材３が設けられたもので、培地材３は、筒状支持躯体２の周壁２ａを通じてこぼれでないようなものであればよく、不織布の袋に土壌を詰めたようなものであってもよいし、各種人工培地材であってもよい。なお、６は灌水用のパイプである。
【００１４】
上記の緑化材１では、培地材３に設けられた種や苗を成長させることにより、植物が培地材３から筒状支持躯体２の周壁２ａの格子開口部を通じて外に突出して成長していき、筒状支持躯体２の外周側が例えば図１（イ）に示すように植物７で緑化される。
【００１５】
このように、上記の緑化材１によれば、植栽に地面を必要とせず、また、植物の種類を問わず、筒状支持躯体２の外周側を短期間で緑化させることができる。
【００１６】
しかも、支持躯体２は、周壁２ａが三次元格子構造をした筒状のものからなっているので、三次元格子構造によってしっかりとした強度を発現することができながら非常に軽量であり、また、筒形状を利用して筒状支持躯体２内に培地材３を設けたものであるから、構造も非常に簡素である。
【００１７】
上記の緑化材１は、例えば、図２（ハ−１）に示すような直線緑化部品８や図（ハ−２）に示すような曲がり緑化部品９として部品化することによって、図（ハ−３）に示すようなジョイント部品１０を用い、図３（イ）に示すような緑化アーチ１１を形成したり、図３（ロ）に示すような緑化ウイング１２を形成したり、図３（ハ）に示すように緑化ポール標識１３を形成したり、図３（ニ）に示すような緑化ガゼボ１４を形成したり、図３（ホ）に示すように緑化格子壁面１５を形成することができる。
【００１８】
また、上記の緑化材１を用いることによって、図４に示すように、例えばカーポート１６やカーゲート１７等の設備緑化を行うことも可能であり、これまでには容易になしえなかった緑化を容易に実現することができるようになる。特に、筒状支持躯体２は、周壁２ａが三次元格子構造をしているので、軽量にして強度的に非常に強く、そのため、培地材３を筒内に設けた筒状支持躯体２を、カーポート１６やカーゲート１７等の設備を構成する構造部材として用いることも可能であり、それにより、設備回りの緑化に必要な部品点数を削減することができる。
【００１９】
以上に、本発明の実施形態を示したが、本発明はこれに限られるものではなく、発明思想を逸脱しない範囲で各種の変更が可能である。例えば、上記の実施形態では、筒状支持躯体の周壁が、８本の縦軸４…と２本の四角形螺旋軸５，５で三次元格子構造にされている場合を示したが、これに限られるものではなく、周壁は各種形態の三次元格子構造をしていてよい。
【図面の簡単な説明】
【００２０】
【図１】実施形態の緑化材を示すもので、図（イ）は緑化された緑化材の斜視図、図（ロ）は緑化材の分解斜視図である。
【図２】図（イ）は緑化材の平面図、図（ロ）は同側面図、図（ハ−１）は部品化された緑化材の一例を示す正面図、図（ハ−２）は部品化された緑化材の他の例を示す正面図、図（ハ−３）はジョイント材の正面図である。
【図３】図（イ）〜図（ホ）はそれぞれ、部品化された緑化材で形成される緑化構造物の例を示す正面図である。
【図４】緑化材を用いた緑化の他の例を示す斜視図である。
【符号の説明】
【００２１】
１…緑化材
２…筒状支持躯体
２ａ…周壁
３…培地材
７…植物
【図１】
2006280286.tif 000003
【図２】
2006280286.tif 000004
【図３】
2006280286.tif 000005
【図４】
2006280286.tif 000006
(57)【要約】      （修正有）【課題】これまでの指圧等治療用の治療台は治療を受ける為だけの台であった。この為、今までに無い治療を促進させえる遠赤外線等放出による治療に有効な治療用の治療台を提供する。【解決手段】ブラックシリカ及びシリカ、ラジウム鉱石、ばくはん石、トルマリン石等有効鉱物、土、粘土等には遠赤外線放出等による治療効果及び効能が有るとされ、このブラックシリカ及びシリカ等有効鉱物等を指圧、あんま、マッサージ、整体等の治療台に含有させることで解決した。又、ブラックシリカ、シリカ等有効鉱物等には熱を加えると遠赤外線、波動エネルギー、マイナスイオン等が放出、増幅される効果があり、これらの放出、照射は人体に対し健康促進に有効なエネルギーでもあることより、ヒーター等で暖めることで、その効果効能は更なる効果を図ることが出来る。【選択図】なし【特許請求の範囲】
【請求項１】
ブラックシリカ及びシリカ等有効鉱物等の遠赤外線等治療の治療台
【発明の詳細な説明】
【技術分野】
【０００１】  本発明は、専門業者による指圧、あんま、マッサージ、整体等の治療の為の治療台における新しい発明で治療を受けるためだけの台ではなく治療台自体が治療を促進するものである。それは遠赤外線等放出による健康促進がなされるとされるブラックシリカ及びシリカ等有効鉱物等の含有する遠赤外線等治療による治療台の発明である。
【背景技術】
【０００２】  これまでの指圧等治療用の治療台は治療を受ける為だけの物であったが、治療を促進させえる治療台がなかった。遠赤外線にはリュウマチ等の身体の治療効果が有るとされる事は周知のことである。ブラックシリカ及びシリカ等の有効鉱物等には遠赤外線放出が認められ、この事実よる治療効果及び効能が有るとされるものである。この効果効能を含有させた、今までに無い指圧、あんま、マッサージ、整体等の治療台が求められる。
【発明が解決しようとする課題】
【０００３】  これまでの指圧等治療用の治療台は治療を受ける為だけの台であった。この為、今までに無い治療を促進させえる遠赤外線等放出による治療に有効な治療用の治療台を提供したい。
【課題を解決するための手段】
【０００４】  ブラックシリカ及びシリカ、ラジウム鉱石、ばくはん石、トルマリン石等有効鉱物、土、粘土等には遠赤外線放出等による治療効果及び効能が有るとされる事は周知のことである。このブラックシリカ及びシリカ等有効鉱物等を指圧、あんま、マッサージ、整体等の治療台に含有させることで解決した。又、ブラックシリカ、シリカ等有効鉱物等には熱を加えると遠赤外線、波動エネルギー、マイナスイオン等が放出、増幅される効果があることも周知の事実であり、又、これらの放出、照射は人体に対し健康促進に有効なエネルギーでもあることも周知の事実である。この事によりヒーター等で暖めることで、その効果効能は更なる効果を図ることが出来る。
【発明の効果】
【０００５】  本発明の効果により、専門の業者による指圧、あんま、マッサージ時等における指圧等治療以外に治療台による遠赤外線等の治療促進効果が得られ身体の活性化、及び更なる治療効果が得られた。
【実施例】
【０００６】  治療を受ける人が横になる治療台の天板のマット内部等に遠赤外線、マイナスイオン、波動等が放出される有効鉱物、土、粘土等を含有取り付け、指圧マッサージ等を受けることで指圧マッサージ等の治療効果以外に遠赤外線、マイナスイオン、波動による健康促進治療効果が得られ身体の活性化、治療効果が得られた。又、ブラックシリカ及びシリカ等有効鉱物等の含有量、含有方法や治療台マットのサイズ、形等は製品の性能やサイズが各タイプ考慮される為ここでは明記しない。又、ブラックシリカ、シリカ等有効鉱物等には熱を加えると遠赤外線、波動エネルギー、マイナスイオン等が放出、増幅される効果があることも周知の事実である。又、これらの放出、照射は人体に対し健康促進に有効なエネルギーでもあることも周知の事実である。この事により電気式熱線ヒーター等で摂氏４０度位に暖めることで、その効果効能は更なる効果を図ることが出来た。又、温度は製品の性能、効果に反映する為、サーモ等による温度調整をおこなう事が望ましい。
【産業上の利用可能性】
【０００７】  遠赤外線、マイナスイオン、波動等による有効放出照射による身体のこり、痛みの解消、身体の活性化は周知のことである為、本発明による効果は大きく、且つ疲れや老齢化による身体の不具合を訴える人にとって本発明は大変有効である。又、治療を施す業者は今まで以上の治療効果を患者に対し施すことが出来る為、大変有効な治療台の発明である。
(57)【要約】【課題】本発明の目的は従来の種々の問題点を解決し、風が吹いても物干しの隅にハンガーが寄ったり、風で物干し竿からハンガーが落ちることもなくなる物干しハンガーフックを提供することにある。【解決手段】上記目的を解決するために、本発明は物干し竿に取り付ける物干しハンガーフックを提供することにある。【選択図】図１
2006280893.tif 000002
【特許請求の範囲】
【請求項１】
基材となるひもで大きい輪と小さい輪がつながって形成されたものを特徴とする。
【発明の詳細な説明】
【技術分野】
【０００１】従来洗濯物をハンガーで干す場合ハンガーを直接物干しに掛けている。
【背景技術】
【０００２】しかし屋外で、干していると、風が吹くと物干し竿の片方にハンガーが寄ってしまって、乾燥しにくくなったり、外れて落ちたりしている。
【発明の開示】
【発明が解決しようとする課題】
【０００３】本発明の目的は、上述する従来例の種々の問題点を解決し、風が吹いても物干し竿の隅にハンガーが寄ったり、風で、物干し竿からハンガーが落ちる事もなくなる物干しハンガーフックを提供する事にある。
【課題を解決するための手段】上記目的を達成するために、本発明は物干し竿に付ける物干しハンガーフックを提供することにある。
【発明の効果】本発明の物干しハンガーフックは物干し竿にハンガーを掛けるのと違い、掛ける部分のフックが等間隔に物干し竿に固定しているので横にずれることがなくハンガーを掛けるフックがひもで出来ているのでハンガーを掛けると重みで締まり、風が吹いても外れない。
【発明を実施する為の最良の形態】
本発明の物干しハンガーフックは、一体につながったひもで形成され、物干し竿を通す大きい輪とハンガーを掛けるフックの小さい輪がつながって出来ている。大きい輪に物干し竿を通し小さい輪が下に来るようにしてつながった左右のひもを引っ張って物干し竿の左右の端に結んで固定する。物干し竿の下に等間隔に並んだ小さい輪がハンガーフックとなり、ハンガーを掛けても風でずれたり外れて落ちる事がない。
【実施例】以下添付の図面に好適実施例に基づいて、本発明の物干しハンガーフックを詳細に説明する。
図１は、本発明の物干しハンガーフックの実施例を示す斜視図である。このように物干し竿に設置するものである。
物干し竿３をひもの輪竿通し２に入れてひもの輪ハンガーフック１が下に来るようにする。ひもの端を左右に引っ張り物干し竿の端ひも結び４で固定する。ハンガーフック１に等間隔にハンガーを掛けられるようになっている。
【図面の簡単な説明】
【図１】物干しハンガーフックを物干し竿に取り付けた一部分の斜視図である。
【図２】物干しハンガーフックを物干し竿に取り付けた全体的な斜視図である。
【符号の説明】
１、ハンガーフック
２、竿通し
３、物干し竿
４、ひも結び
【図１】
2006280893.tif 000003
【図２】
2006280893.tif 000004
(57)【要約】【課題】トイレを次に使用する人が、トイレットペーパーに先端を簡単に引き出せるようにＶ字形に切れる器具を提供する。【解決手段】鈍角Ｖ字形状の切断部を形成する板体を回動翼板とし、該回動翼板とキックバネを結合したヒンジ部を介して既成のトイレットペーパーホルダーの上蓋に固定するための固定翼板とからなることを特徴とするトイレットペーパーホルダー用ペーパーカッター。【選択図】  図１
2006280892.tif 000002
【特許請求の範囲】
【請求項１】
鈍角Ｖ字形状の切断部を形成する板体を回動翼板とし、該回動翼板とキックバネを結合したヒンジ部を介して既成のトイレットペーパーホルダーの上蓋に固定するための固定翼板とからなることを特徴とするトイレットペーパーホルダー用ペーパーカッター。
【発明の詳細な説明】
【技術分野】
【０００１】本発明は、トイレを次に使用する人が、トイレットペーパーを使いやすいようにペーパーホルダーのトイレットペーパーをＶ字形に切る器具に関するものである。
【背景技術】
【０００２】従来，トイレを使用してから、トイレットペーパーを引き出す時ペーパーホルダーから、トイレットペーパーの先端が出ていなくて一度ペーパーホルダーをめくり上げて、トイレットペーパーの先端を引き出して使用していた。
【発明開示】
【発明が解決しようとする課題】
【０００３】そのために、次のような問題点があった。
トイレットペーパーを使った後、次に引き出しやすくするために、先端をＶ字形になるように、手でトイレットペーパーを折っていた。
本発明は、老若男女問わず以上の問題を解決しようとするものである。
【課題を解決するための手段】
【０００４】鈍角Ｖ字形状の切断部を形成する板体を回動翼板とし、該回動翼板とキックバネを結合したヒンジ部を介して既成のトイレットペーパーホルダーの上蓋に固定するための固定翼板とからなることを特徴とするトイレットペーパーホルダー用ペーパーカッター。
【発明の効果】
【０００５】本発明は、老若男女問わず、簡単にトイレットペーパーを引き出しやすいＶ字形に出来る。従って、手でトイレットペーパーの先端をＶ字形に折るわずらわしさがない。
【発明を実施するための最良の形態】
【０００６】（イ）既成のペーパーホルダー（２）に固定するために、固定翼板（３ｂ）と回動翼板（３ａ）からなるキックバネ付き蝶番（３）の回動翼板（３ａ）をアクリル樹脂からなるホームベース状に成形された板体（１）の、頂点と対向する辺縁に貼着する。
本発明は、以上の構成よりなりたっている。これを使用する時は、図２に示すように、既成のペーパーホルダー（２）の上蓋後部に固定翼板（３ｂ）を接着剤あるいは、両面テープで貼着する。
本発明を使用する時は，片手で板体（１）を軽くおさえて、もう片方の手でトイレットペーパーを上に引くと、切り口がＶ字形になる。
【図面の簡単な説明】
【０００７】
【図１】  本発明の斜視図
【図２】  本発明の分解斜視図
【図３】  本発明の使用状態を示す斜視図
【符号の説明】
【０００８】  １    板体
２    ペーパーホルダー
３    キックバネ付き蝶番
３ａ  回動翼板
３ｂ  固定翼板
【図１】
2006280892.tif 000003
【図２】
2006280892.tif 000004
【図３】
2006280892.tif 000005